【手続補正書】
【提出日】平成19年6月14日(2007.6.14)
【手続補正１】
【補正対象書類名】明細書
【補正対象項目名】特許請求の範囲
【補正方法】変更
【補正の内容】
【特許請求の範囲】
【請求項１】  物体側より順に、正の屈折力の第１群と負の屈折力の第２群と正の屈折力の第３群と正の屈折力の第４群から成り、該第１群は正の屈折力の第１Ａ群と第１Ｂ群より成り、広角端から望遠端への変倍に際し、該第１Ａ群は固定であり、該第１Ｂ群は固定若しくは移動しており、第２群は像面側に移動し、第３群は移動し、第４群は固定であり、フォーカシングは、該第１Ｂ群で行い、該第２群の一部または、全体を光軸と垂直方向に移動させて画像のブレを補正しており、第ｉ群の焦点距離をｆｉ、全系の広角端と望遠端の焦点距離を各々ｆＷ，ｆＴ、広角端から望遠端への変倍に伴う該第１Ｂ群と第２群の移動量を各々Ｍ１Ｂ，Ｍ２としたとき
０．４  ＜  ｆ１  ／ｆＴ＜０．９
０．１２＜｜ｆ２｜／ｆＴ＜０．２２
０．３３＜｜ｆ２｜／ｆＷ＜０．４８
０．４２＜  ｆ３  ／ｆＴ＜０．６６
０．４２＜  ｆ４  ／ｆＴ＜０．６
０  ≦  Ｍ１Ｂ／Ｍ２＜０．７
の条件式を満足することを特徴とする防振機能を有したズームレンズ。
【請求項２】  前記第１Ａ群は、負レンズと２枚の正レンズより成り、前記第１Ｂ群は、正レンズと負レンズより成り、全体として負の屈折力を有するレンズ群であり、該第１Ａ群と第１Ｂ群の焦点距離を各々ｆ１Ａ，ｆ１Ｂとしたとき
０．５＜  ｆ１Ａ／ｆＴ    ＜０．６
１．２＜｜ｆ１Ｂ｜／ｆＴ  ＜１．８
の条件式を満足することを特徴とする請求項１の防振機能を有したズームレンズ。
【請求項３】  前記第２群は２枚の負レンズと正レンズを有し、画像のブレの補正は該第２群全体を光軸と略垂直方向に移動させて行い、
０．１６＜｜ｆ２｜／ｆＴ  ＜０．２２
の条件式を満足することを特徴とする請求項２の防振機能を有したズームレンズ。
【請求項４】 前記第１Ｂ群は、変倍に際して移動し
０．２＜Ｍ１Ｂ／Ｍ２＜０．４
の条件式を満足することを特徴とする請求項２の防振機能を有したズームレンズ。
【請求項５】  前記第１Ｂ群は負レンズと正レンズを有し、全体として正の屈折力のレンズ群であり、該第１Ａ群と第１Ｂ群の焦点距離を各々ｆ１Ａ，ｆ１Ｂとしたとき
０．９＜  ｆ１Ａ／ｆＴ＜１．１
０．７＜  ｆ１Ｂ／ｆＴ＜１
の条件式を満足することを特徴とする請求項１の防振機能を有したズームレンズ。
【請求項６】  前記第２群は負の屈折力の第２Ａ群と正レンズと負レンズを有し全体として負の屈折力の第２Ｂ群を有し、該第２Ｂ群を光軸と略垂直方向に移動させて画像のブレの補正を行い、該第２Ａ群と第２Ｂ群の焦点距離を各々ｆ２Ａ，ｆ２Ｂとしたとき
０．１２＜｜ｆ２  ｜／ｆＴ  ＜０．１６
０．２  ＜｜ｆ２Ａ｜／ｆＴ  ＜０．２６
０．４  ＜｜ｆ２Ｂ｜／ｆＴ  ＜０．６
の条件式を満足することを特徴とする請求項５の防振機能を有したズームレンズ。
【請求項７】 前記第１Ｂ群は変倍に際して移動し
０．３＜Ｍ１Ｂ／Ｍ２＜０．７
の条件式を満足することを特徴とする請求項５の防振機能を有したズームレンズ。
【請求項８】  前記第１Ｂ群は、変倍時固定であることを特徴とする請求項１の防振機能を有したズームレンズ。
【請求項９】  請求項１から８のいずれか１項の防振機能を有したズームレンズを有することを特徴とする光学機器。
【手続補正２】
【補正対象書類名】明細書
【補正対象項目名】００１２
【補正方法】変更
【補正の内容】
【００１２】
【課題を解決するための手段】
請求項１の発明の防振機能を有したズームレンズは、物体側より順に、正の屈折力の第１群と負の屈折力の第２群と正の屈折力の第３群と正の屈折力の第４群から成り、該第１群は正の屈折力の第１Ａ群と第１Ｂ群より成り、広角端から望遠端への変倍に際し、該第１Ａ群は固定であり、該第１Ｂ群は固定若しくは移動しており、第２群は像面側に移動し、第３群は移動し、第４群は固定であり、フォーカシングは、該第１Ｂ群で行い、該第２群の一部または、全体を光軸と垂直方向に移動させて画像のブレを補正しており、第ｉ群の焦点距離をｆｉ、全系の広角端と望遠端の焦点距離を各々ｆＷ，ｆＴ、広角端から望遠端への変倍に伴う該第１Ｂ群と第２群の移動量を各々Ｍ１Ｂ，Ｍ２としたとき
０．４  ＜  ｆ１  ／ｆＴ＜０．９‥‥‥（１）
０．１２＜｜ｆ２｜／ｆＴ＜０．２２‥‥‥（２）
０．３３＜｜ｆ２｜／ｆＷ＜０．４８‥‥‥（３）
０．４２＜  ｆ３  ／ｆＴ＜０．６６‥‥‥（４）
０．４２＜  ｆ４  ／ｆＴ＜０．６‥‥‥（５）
０  ≦  Ｍ１Ｂ／Ｍ２＜０．７‥‥‥（６）
の条件式を満足することを特徴としている。
【手続補正３】
【補正対象書類名】明細書
【補正対象項目名】００１５
【補正方法】変更
【補正の内容】
【００１５】
請求項４の発明は請求項２の発明において、前記第１Ｂ群は、変倍に際して移動し
０．２＜Ｍ１Ｂ／Ｍ２＜０．４‥‥‥（１０）
の条件式を満足することを特徴としている。
【手続補正４】
【補正対象書類名】明細書
【補正対象項目名】００１８
【補正方法】変更
【補正の内容】
【００１８】
請求項７の発明は請求項５の発明において、前記第１Ｂ群は変倍に際して移動し
０．３＜Ｍ１Ｂ／Ｍ２＜０．７‥‥‥（１６）
の条件式を満足することを特徴としている。
【手続補正５】
【補正対象書類名】明細書
【補正対象項目名】００２６
【補正方法】変更
【補正の内容】
【００２６】
縦収差図の球面収差において実線はｄ線、２点鎖線はｇ線、点線は正弦条件であり、非点収差において実線はサジタル光線ΔＳ、点線はメリディオナル光線ΔＭを表す。
【手続補正６】
【補正対象書類名】明細書
【補正対象項目名】００２７
【補正方法】変更
【補正の内容】
【００２７】
横収差図に於いて、上側から１番目と２番目の収差図は基準状態（防振なし）での像高０及び＋１５での収差図である。上側から３番目から５番目までの収差図はレンズ系全体を物体面に対し０．３°傾けた状態で０．３°の無限遠光束が、像面中心にくるように防振レンズ群を光軸と垂直方向に移動した状態での像高０、＋１５、−１５の収差図である。図中、実線はｄ線、２点鎖線はｇ線、点線はサジタル光線である。
【手続補正７】
【補正対象書類名】明細書
【補正対象項目名】００２８
【補正方法】変更
【補正の内容】
【００２８】
レンズ断面図においてＬ１は正の屈折力を有する第１レンズ群（第１群）、Ｌ２は負の屈折力を有する第２レンズ群（第２群）、Ｌ３は正の屈折力を有する第３レンズ群（第３群）、Ｌ４は正の屈折力を有する第４レンズ群（第４群）である。第１群Ｌ１は正の屈折力の第１Ａ群Ｌ１Ａと負の屈折力の第１Ｂ群Ｌ１Ｂを有している。
【手続補正８】
【補正対象書類名】明細書
【補正対象項目名】００２９
【補正方法】変更
【補正の内容】
【００２９】
図１１，図１６では第２群Ｌ２は負の屈折力の第２Ａ群Ｌ２Ａと負の屈折力の第２Ｂ群を有している。ＳＰは開口絞りである。
【手続補正９】
【補正対象書類名】明細書
【補正対象項目名】００４２
【補正方法】変更
【補正の内容】
【００４２】
条件式（６）は広角端から望遠端への変倍に際して第１Ｂ群を移動させるとき（数値実施例２，４の場合）の移動量Ｍ１Ｂを特定し、第１Ｂ群のレンズ外径を小型にする為のものである。ここで移動量の符号は、像側へ移動するときを正、物体側へ移動するときを負とする。
【手続補正１０】
【補正対象書類名】明細書
【補正対象項目名】００４４
【補正方法】変更
【補正の内容】
【００４４】
広角端から望遠端への変倍時に第１Ｂ群を像面側に移動させると、第１Ｂ群の外径をよりコンパクトにすることができる。条件式（６）は広角端から望遠端への変倍の際の第２群の移動量Ｍ２に対する第１Ｂ群の移動量Ｍ１Ｂの比を規定するものであり、下限値を越えて第１Ｂ群の移動量を小さくすると第１Ｂ群のコンパクト化が弱くなる。又、上限値を越えて第１Ｂ群の移動量を大きくしても、第１Ｂ群のレンズ外径が広角側の画面周辺部への光線で決まってくるため、これ以上に第１Ｂ群のコンパクト化が難しくなってくる。
【手続補正１１】
【補正対象書類名】明細書
【補正対象項目名】００４６
【補正方法】変更
【補正の内容】
【００４６】
（ア−１）前記第１Ａ群は、負レンズと２枚の正レンズより成り、全体として正の屈折力を有するレンズ群であり、前記第１Ｂ群は、正レンズと負レンズより成り、全体として負の屈折力を有するレンズ群であり、該第１Ａ群と第１Ｂ群の焦点距離を各々ｆ１Ａ，ｆ１Ｂとしたとき
０．５＜  ｆ１Ａ／ｆＴ    ＜０．６‥‥‥（７）
１．２＜｜ｆ１Ｂ｜／ｆＴ  ＜１．８‥‥‥（８）
の条件式を満足することである。
【手続補正１２】
【補正対象書類名】明細書
【補正対象項目名】００５１
【補正方法】変更
【補正の内容】
【００５１】
（ア−３）前記第１Ｂ群は、変倍に際して移動し
０．２＜Ｍ１Ｂ／Ｍ２＜０．４‥‥‥（１０）
の条件式を満足することである。
【手続補正１３】
【補正対象書類名】明細書
【補正対象項目名】００５２
【補正方法】変更
【補正の内容】
【００５２】
条件式（１０）は第１Ｂ群を変倍に際して移動させるときの移動量を適切に設定する為のものである。条件式（１０）は第１Ｂ群が負の屈折力のレンズ群のとき（数値実施例２）を想定している。条件式（１０）の技術的意味については前述の条件式（６）と同様である。
【手続補正１４】
【補正対象書類名】明細書
【補正対象項目名】００６２
【補正方法】変更
【補正の内容】
【００６２】
（ア−６）前記第１Ｂ群は変倍に際して移動し
０．３＜ＭＩＢ／Ｍ２＜０．７‥‥‥（１６）
の条件式を満足することである。
【手続補正１５】
【補正対象書類名】明細書
【補正対象項目名】００６７
【補正方法】変更
【補正の内容】
【００６７】
上記表示素子は液晶パネル等によって構成され、撮像素子１２上に形成された被写体像が表示される。